(57)【要約】【課題】リユーザブル部分とディスポーザブル部分を備えた医用センサの利便性を向上させる。【解決手段】リユーザブル部分２は、第一コネクタ２１と発光部２２を備えている。ディスポーザブル部分３は、支持体３１、第二コネクタ３２、および受光部３３を備えている。支持体３１は、透光部を有しており、被検者の身体に装着される。第二コネクタ３２は、支持体３１に支持されており、第一コネクタ２１と結合可能である。受光部３３は、支持体３１に支持されており、入射光量に応じた受光信号を出力する。第一コネクタ２１と第二コネクタ３２が結合された状態において、発光部２２は透光部に対向するように配置され、受光信号が第二コネクタ３２を介して第一コネクタ２１により受信可能とされる。【選択図】図１
2020150996.tif 000002
【特許請求の範囲】
【請求項１】
リユーザブル部分とディスポーザブル部分を備えている医用センサであって、
前記リユーザブル部分は、
光を出射する発光部と、
第一コネクタと、
を備え、
前記ディスポーザブル部分は、
透光部を有しており、被検者の身体に装着される支持体と、
前記支持体に支持されており、入射光量に応じた信号を出力する受光部と、
前記支持体に支持されており、前記第一コネクタと結合可能な第二コネクタと、
を備え、
前記第一コネクタと前記第二コネクタが結合された状態において、前記発光部は前記透光部に対向するように配置され、前記信号が前記第二コネクタを介して前記第一コネクタにより受信可能とされる、
医用センサ。
【請求項２】
前記第一コネクタは、少なくとも前記発光部に対する防水構造を備えている、
請求項１に記載の医用センサ。
【請求項３】
前記第二コネクタは、前記第一コネクタと前記第二コネクタが結合された状態において両コネクタの間に挟まれる封止部材を備えている、
請求項２に記載の医用センサ。
【請求項４】
前記第一コネクタと前記第二コネクタの一方は、雄部分を有しており、
前記第一コネクタと前記第二コネクタの他方は、前記第一コネクタと前記第二コネクタの結合時において前記雄部分を収容する雌部分を有しており、
前記発光部の少なくとも一部は、前記第一コネクタと前記第二コネクタの結合時において、結合方向と交差する方向から見て前記雌部分と重なる位置に配置されている、
請求項１から３のいずれか一項に記載の医用センサ。
【請求項５】
前記第一コネクタは、前記結合方向に延びて前記発光部を支持している突起を有している、
請求項４に記載の医用センサ。
【請求項６】
前記ディスポーザブル部分は、前記第一コネクタと前記第二コネクタの結合時において結合方向と交差する方向への前記発光部の変位を制限する制限部材を備えている、
請求項４または５に記載の医用センサ。
【請求項７】
前記リユーザブル部分は、前記第一コネクタと電気的に接続されたケーブルを備えており、
前記支持体は、前記第一コネクタと前記第二コネクタの結合時において前記ケーブルを保持する保持部材を備えている、
請求項１から６のいずれか一項に記載の医用センサ。
【請求項８】
医用センサのリユーザブル部分であって、
光を出射する発光部と、
リユーザブルコネクタと、
を備え、
前記リユーザブルコネクタは、前記医用センサにおけるディスポーザブル部分のディスポーザブルコネクタと結合可能であり、
前記リユーザブルコネクタと前記ディスポーザブルコネクタが結合された状態において、前記発光部は、被検者の身体に装着される前記ディスポーザブル部分の支持体が有する透光部に対向するように配置されており、
前記リユーザブルコネクタは、前記リユーザブルコネクタと前記ディスポーザブルコネクタが結合された状態において、入射光量に応じて前記ディスポーザブル部分の受光部から出力される信号を、前記ディスポーザブルコネクタを介して受信可能である、
医用センサのリユーザブル部分。
【請求項９】
前記リユーザブルコネクタは、少なくとも前記発光部に対する防水構造を備えている、
請求項８に記載の医用センサのリユーザブル部分。
【請求項１０】
前記リユーザブルコネクタと前記ディスポーザブルコネクタの一方は、雄部分を有しており、
前記リユーザブルコネクタと前記ディスポーザブルコネクタの他方は、前記リユーザブルコネクタと前記ディスポーザブルコネクタの結合時において前記雄部分を収容する雌部分を有しており、
前記発光部の少なくとも一部は、前記リユーザブルコネクタと前記ディスポーザブルコネクタの結合時において、結合方向と交差する方向から見て前記雌部分と重なる位置に配置されている、
請求項８または９に記載の医用センサのリユーザブル部分。
【請求項１１】
前記リユーザブルコネクタは、前記結合方向に延びて前記発光部を支持している突起を有している、
請求項１０に記載の医用センサのリユーザブル部分。
【請求項１２】
医用センサのディスポーザブル部分であって、
透光部を有しており、被検者の身体に装着される支持体と、
前記支持体に支持されており、入射光量に応じた信号を出力する受光部と、
前記支持体に支持されており、前記医用センサにおけるリユーザブル部分のリユーザブルコネクタと結合可能なディスポーザブルコネクタと、
を備え、
前記透光部は、前記リユーザブルコネクタと前記ディスポーザブルコネクタが結合された状態において、光を出射する前記リユーザブル部分の発光部に対向するように配置されており、
前記ディスポーザブルコネクタは、前記リユーザブルコネクタと前記ディスポーザブルコネクタが結合された状態において、前記信号を、前記リユーザブルコネクタへ中継可能である、
医用センサのディスポーザブル部分。
【請求項１３】
前記ディスポーザブルコネクタは、前記リユーザブルコネクタと前記ディスポーザブルコネクタが結合された状態において両コネクタの間に挟まれる封止部材を備えている、
請求項１２に記載の医用センサのディスポーザブル部分。
【請求項１４】
前記リユーザブルコネクタと前記ディスポーザブルコネクタの結合時において結合方向と交差する方向への前記発光部の変位を制限する制限部材を備えている、
請求項１２または１３に記載の医用センサのディスポーザブル部分。
【請求項１５】
前記支持体は、前記リユーザブルコネクタと前記ディスポーザブルコネクタの結合時において前記リユーザブルコネクタと電気的に結合されたケーブルを保持する保持部材を備えている、
請求項１２から１４のいずれか一項に記載の医用センサのディスポーザブル部分。
【発明の詳細な説明】
【技術分野】
【０００１】
本発明は、リユーザブル部分とディスポーザブル部分を備えている医用センサに関する。本明細書で用いられる「リユーザブル部分」という語は、少なくとも一回の再利用が可能な医用センサの一部を意味する。本明細書で用いられる「ディスポーザブル部分」という語は、一度の使用の後に廃棄される医用センサの一部を意味する。
【背景技術】
【０００２】
非特許文献１は、上記のような医用センサの一例として被検者の経皮的動脈血酸素飽和度（ＳｐＯ２）を算出するために指先に装着されるセンサを開示している。当該センサは、発光素子と受光素子を備えている。発光素子は、被検者の指先の組織へ向けて光を出射する。当該組織を通過した光は、受光素子に入射する。受光素子は、受光強度に応じた信号を出力する。当該センサは、ディスポーザブル部分とリユーザブル部分を備えている。ディスポーザブル部分は、被検者の指先に巻き付けられる支持体を含んでいる。支持体は、発光素子と受光素子を支持している。リユーザブル部分は、コネクタとケーブルを含んでいる。コネクタは、受光素子から出力された信号を受け付け、ケーブルを通じてＳｐＯ２を算出する装置へ中継する。
【先行技術文献】
【非特許文献】
【０００３】
【非特許文献１】「ＯｘｉＴｉｐ＋  成人／小児用センサー」添付文書  ジーイー横河メディカルシステム株式会社  発行  ２００４年１０月１日  改訂第２版
【発明の概要】
【発明が解決しようとする課題】
【０００４】
本発明の目的は、リユーザブル部分とディスポーザブル部分を備えた医用センサの利便性を高めることである。
【課題を解決するための手段】
【０００５】
上記の目的を達成するための一態様は、リユーザブル部分とディスポーザブル部分を備えている医用センサであって、
前記リユーザブル部分は、
光を出射する発光部と、
第一コネクタと、
を備え、
前記ディスポーザブル部分は、
透光部を有しており、被検者の身体に装着される支持体と、
前記支持体に支持されており、入射光量に応じた信号を出力する受光部と、
前記支持体に支持されており、前記第一コネクタと結合可能な第二コネクタと、
を備え、
前記第一コネクタと前記第二コネクタが結合された状態において、前記発光部は前記透光部に対向するように配置され、前記信号が前記第二コネクタを介して前記第一コネクタにより受信可能とされる。
【０００６】
上記の目的を達成するための一態様は、医用センサのリユーザブル部分であって、
光を出射する発光部と、
リユーザブルコネクタと、
を備え、
前記リユーザブルコネクタは、前記医用センサにおけるディスポーザブル部分のディスポーザブルコネクタと結合可能であり、
前記リユーザブルコネクタと前記ディスポーザブルコネクタが結合された状態において、前記発光部は、被検者の身体に装着される前記ディスポーザブル部分の支持体が有する透光部に対向するように配置されており、
前記リユーザブルコネクタは、前記リユーザブルコネクタと前記ディスポーザブルコネクタが結合された状態において、入射光量に応じて前記ディスポーザブル部分の受光部から出力される信号を、前記ディスポーザブルコネクタを介して受信可能である。
【０００７】
上記の目的を達成するための一態様は、医用センサのディスポーザブル部分であって、
透光部を有しており、被検者の身体に装着される支持体と、
前記支持体に支持されており、入射光量に応じた信号を出力する受光部と、
前記支持体に支持されており、前記医用センサにおけるリユーザブル部分のリユーザブルコネクタと結合可能なディスポーザブルコネクタと、
を備え、
前記透光部は、前記リユーザブルコネクタと前記ディスポーザブルコネクタが結合された状態において、光を出射する前記リユーザブル部分の発光部に対向するように配置されており、
前記ディスポーザブルコネクタは、前記リユーザブルコネクタと前記ディスポーザブルコネクタが結合された状態において、前記信号を、前記リユーザブルコネクタへ中継可能である。
【０００８】
上記の各態様のような構成によれば、医用センサは、発光部を備えたリユーザブル部分と受光部を備えたディスポーザブル部分に分割可能である。部品単価が比較的高い発光素子が再利用可能とされるので、医用センサの運用コストを低減できる。この効果は、医用センサが使用する発光素子の数が増えるほど顕著となる。
【０００９】
他方、第一コネクタ（リユーザブルコネクタ）と第二コネクタ（ディスポーザブルコネクタ）を結合するのみで発光部が透光部に対向するように配置される。受光部は、ディスポーザブル部分の一部として予め支持体に固定されているので、受光部を支持体に位置決めする作業が省略され、医用センサが使用可能になるまでの時間を短縮できる。
【００１０】
したがって、リユーザブル部分とディスポーザブル部分を備えた医用センサの利便性を高めることができる。
【図面の簡単な説明】
【００１１】
【図１】一実施形態に係るセンサの外観を示している。
【図２】図１のセンサにおけるリユーザブル部分の外観を示している。
【図３】図１のセンサにおけるディスポーザブル部分の外観を示している。
【図４】リユーザブル部分とディスポーザブル部分の結合を説明する図である。
【図５】図１のセンサにおけるリユーザブル部分の一部の断面を示している。
【図６】別例に係るディスポーザブル部分の外観を示している。
【発明を実施するための形態】
【００１２】
添付の図面を参照しつつ、実施形態の例を以下詳細に説明する。以降の説明に現れる「前」、「後」、「上」、および「下」という方向を示す表現は、説明の便宜のために用いているに過ぎず、図示された構造の使用時における姿勢を限定する意図はない。
【００１３】
図１は、一実施形態に係るセンサ１の外観を示している。センサ１は、血中吸光物質濃度を算出するために被検者の指先に装着される。センサ１は、医用センサの一例である。指先は、被検者の身体の一例である。血中吸光物質濃度としては、経皮的動脈血酸素飽和度（ＳｐＯ２）が例示されうる。
【００１４】
センサ１は、リユーザブル部分２とディスポーザブル部分３を備えている。リユーザブル部分２は、少なくとも一回の再利用が可能な部分である。ディスポーザブル部分３は、一度の使用の後に廃棄または再生処理に供される部分である。
【００１５】
リユーザブル部分２は、第一コネクタ２１を備えている。すなわち、第一コネクタ２１は、少なくとも一回の再利用が可能とされている。第一コネクタ２１は、リユーザブルコネクタの一例である。
【００１６】
図２の（Ａ）は、第一コネクタ２１を上前方から見た外観を示している。図２の（Ｂ）は、第一コネクタ２１を下前方から見た外観を示している。図２の（Ｃ）は、第一コネクタ２１を上後方から見た外観を示している。
【００１７】
第一コネクタ２１は、雌ハウジング２１１を備えている。雌ハウジング２１１は、雌部分の一例である。雌ハウジング２１１は、収容空間２１２を区画している。収容空間２１２内には、複数の雄端子２１３が配置されている。
【００１８】
リユーザブル部分２は、発光部２２を備えている。発光部２２は、光を出射する部分である。本実施形態においては、発光部２２は、雌ハウジング２１１に支持されている。
【００１９】
発光部２２は、不図示の複数の発光素子を含んでいる。複数の発光素子は、雌ハウジング２１１に収容されている。複数の発光素子の各々は、所定の波長を含む光を出射する半導体発光素子である。半導体発光素子としては、発光ダイオードやレーザダイオードが例示されうる。発光素子の数と波長の値は、取得される血中吸光物質濃度の種別に応じて適宜に定められる。
【００２０】
リユーザブル部分２は、ケーブル２３を備えている。リユーザブル部分２は、ケーブル２３を介して不図示のパルスフォトメータに接続される。ケーブル２３は、給電線と制御信号線を収容している。給電線と制御信号線は、雌ハウジング２１１内に収容された不図示の駆動回路に接続されている。給電線は、パルスフォトメータからの電力を駆動回路へ供給する。制御信号線は、パルスフォトメータから送信される各発光素子の点消灯を制御するための制御信号を、駆動回路へ供給する。
【００２１】
図３の（Ａ）に示されるように、ディスポーザブル部分３は、支持体３１を備えている。支持体３１は、被検者の指先に装着される部分である。装着の仕方については、後述する。
【００２２】
ディスポーザブル部分３は、第二コネクタ３２を備えている。すなわち、第二コネクタ３２は、一度の使用の後に廃棄または再生処理に供される。第二コネクタ３２は、ディスポーザブルコネクタの一例である。
【００２３】
図３の（Ｂ）に示されるように、第二コネクタ３２は、雄ハウジング３２１を備えている。雄ハウジング３２１は、雄部分の一例である。雄ハウジング３２１は、収容空間３２２を区画している。収容空間３２２内には、複数の雌端子３２３が配置されている。
【００２４】
図３の（Ａ）に示されるように、ディスポーザブル部分３は、受光部３３を備えている。受光部３３は、受光面を有する受光素子を備えている。受光素子は、受光面における受光量に応じた受光信号を出力する。受光素子としては、フォトダイオード、フォトトランジスタ、フォトレジスタなどが例示されうる。受光部３３は、支持体３１に支持されている。受光素子の受光面は、支持体３１の裏面に露出する。
【００２５】
支持体３１は、第一部分３１１、第二部分３１２、および第三部分３１３を備えている。第二コネクタ３２は、第一部分３１１に支持されている。受光部３３は、第二部分３１２に支持されている。第三部分３１３は、第一部分３１１と第二部分３１２を一体に接続している。
【００２６】
複数の雌端子３２３と受光素子は、給電線と受光信号線を介して電気的に接続されている。給電線と受光信号線は、第三部分３１３内を延びるように、支持体３１に支持されている。
【００２７】
図４の（Ａ）に示されるように、支持体３１は、透光部３１４を有している。透光部３１４は、発光部２２から出射される光の波長に対して透明性を有する材料によって形成されている。透光部３１４は、第一部分３１１における第二コネクタ３２の近傍に位置している。
【００２８】
リユーザブル部分２の第一コネクタ２１とディスポーザブル部分３の第二コネクタ３２は、結合可能とされている。第二コネクタ３２の雄ハウジング３２１が第一コネクタ２１の収容空間２１２に嵌入されることによって、結合がなされる。このとき、第一コネクタ２１の複数の雄端子２１３と第二コネクタ３２の複数の雌端子３２３が、電気的に接続される。
【００２９】
ケーブル２３に収容された給電線は、第一コネクタ２１の雄端子２１３にも接続されている。したがって、パルスフォトメータからの電力は、雌端子３２３と支持体３１に支持された給電線を介して受光部３３の受光素子にも供給される。すなわち、第一コネクタ２１と第二コネクタ３２を結合することにより、受光素子の駆動も可能とされる。
【００３０】
図４の（Ｂ）は、結合状態にある第一コネクタ２１と第二コネクタ３２を示している。このとき、発光部２２は、支持体３１の透光部３１４に対向するように配置される。これにより、図１に示された状態のセンサ１が得られる。
【００３１】
センサ１は、以下のようにして被検者の指先に装着される。まず、支持体３１の第一部分３１１が指の爪側と腹側の一方に配置される。第一部分３１１の裏面は、粘着性を有している。続いて、第三部分３１３を指の先端に対向させつつ支持体３１を折り曲げることによって、第二部分３１２が指の爪側と腹側の他方に配置される。第二部分３１２の裏面は、粘着性を有している。その後、第一部分３１１の両側部に形成された一対の羽部分と第二部分３１２の両側部に形成された一対の羽部分を指の両側部に巻き付けることにより、センサ１の指先への固定が完了する。
【００３２】
これにより、発光部２２は、指の爪側と腹側の一方に対向する。他方、受光部３３は、指の爪側と腹側の他方に対向する。発光部２２から出射された光は、支持体３１の透光部３１４を通過して被検者の指先の組織に入射する。当該組織を通過した光は、受光部３３の受光面に入射する。受光部３３の受光素子から出力された受光信号は、受光信号線を介して第二コネクタ３２の雌端子３２３へ送られる。
【００３３】
ケーブル２３は、受光信号線も収容している。受光信号線は、第一コネクタ２１の雄端子２１３とパルスフォトメータを電気的に接続している。したがって、第二コネクタ３２の雌端子３２３へ送られた受光信号は、雄端子２１３とケーブル２３を通じてパルスフォトメータへ送られる。当該受光信号は、パルスフォトメータにおいて適宜の処理に供される。
【００３４】
次回の使用時においては、リユーザブル部分２が再利用され、新たなディスポーザブル部分３が用意される。再利用に供された第一コネクタ２１と新たな第二コネクタ３２が結合され、新たなセンサ１が得られる。
【００３５】
以上説明したように、本実施形態に係るセンサ１は、発光部２２を備えたリユーザブル部分２と受光部３３を備えたディスポーザブル部分３に分割可能である。部品単価が比較的高い発光素子が再利用可能とされるので、センサ１の運用コストを低減できる。この効果は、センサ１が使用する発光素子の数が増えるほど顕著となる。
【００３６】
他方、第一コネクタ２１と第二コネクタ３２を結合するのみで発光部２２が透光部３１４に対向するように配置される。受光部３３は、ディスポーザブル部分３の一部として予め支持体３１に固定されているので、受光部３３を支持体３１に位置決めする作業が省略され、センサ１が使用可能になるまでの時間を短縮できる。
【００３７】
したがって、リユーザブル部分２とディスポーザブル部分３を備えたセンサ１の利便性を高めることができる。
【００３８】
図５に示されるように、第一コネクタ２１の雌ハウジング２１１により区画される収容空間２１２には、封止部材２１４が配置されうる。封止部材２１４は、収容空間２１２を通じて雌ハウジング２１１の内部に水分が侵入することを防止する。封止部材２１４は、防水構造の一例である。本例においては、封止部材２１４は、ゴム製のパッキンである。封止部材２１４としては、Ｏリング、ガスケット、樹脂モールドなどが適宜に採用されうる。
【００３９】
医療現場においては、血液、体液、消毒液、輸液などが使用中のセンサ１に付着する事態が生じうる。上記のような構成によれば、このような液体から発光部２２などの電気的要素を保護できる。また、センサ１の使用後は、ディスポーザブル部分３を分離してリユーザブル部分２を流水洗浄や浸漬消毒に供することが可能である。これにより、リユーザブル部分２の再利用のための医療従事者による洗浄・消毒作業の負担を軽減できる。したがって、リユーザブル部分２とディスポーザブル部分３を備えたセンサ１の利便性をさらに高めることができる。
【００４０】
図３の（Ｂ）に示されるように、第二コネクタ３２は、封止部材３２４を備えうる。封止部材３２４は、第一コネクタ２１と第二コネクタ３２が結合された状態において、両者の間に挟まれるように配置される。封止部材３２４としては、弾性を有するＯリングなどのガスケットが例示されうる。
【００４１】
このような構成によれば、第一コネクタ２１と第二コネクタ３２が結合されたセンサ１の使用時において、血液、体液、消毒液、輸液などの液体が第二コネクタ３２に侵入することを防止できる。これにより、このような液体から受光部３３などの電気的要素を保護できる。したがって、リユーザブル部分２とディスポーザブル部分３を備えたセンサ１の利便性をさらに高めることができる。
【００４２】
本実施形態においては、第一コネクタ２１が雌ハウジング２１１を備え、第二コネクタ３２が雄ハウジング３２１を備えている。しかしながら、第二コネクタ３２がハウジングを備え、当該雌ハウジングに収容される雄ハウジングを第一コネクタ２１が備えている構成も採用されうる。いずれの場合においても、図４の（Ｂ）に示されるように、発光部２２の少なくとも一部は、第一コネクタ２１と第二コネクタ３２の結合時において、結合方向Ｄ１と交差する上下方向Ｄ２から見て雌ハウジングと重なる位置に配置されうる。
【００４３】
このような構成によれば、第一コネクタ２１と第二コネクタ３２の結合のために生じる空間を効率的に利用して発光部２２を配置できる。これにより、センサ１の大型化を抑制できるので、装着時における被検者の負担を軽減できる。したがって、リユーザブル部分２とディスポーザブル部分３を備えたセンサ１の利便性をさらに高めることができる。
【００４４】
このような発光部２２の配置を実現するために、図４の（Ａ）に示されるように、第一コネクタ２１は、雌ハウジング２１１の下方において結合方向Ｄ１に沿って延びる突起２１５を備えている。発光部２２は、突起２１５に支持されている。
【００４５】
図３の（Ｂ）に示されるように、第二コネクタ３２は、一対の突起３２５を備えている。一対の突起３２５は、図４の（Ｂ）に示されるように、第一コネクタ２１と第二コネクタ３２の結合時において、左右方向Ｄ３から突起２１５を挟持する。これにより、一対の突起３２５は、結合方向Ｄ１と交差する左右方向Ｄ３への発光部２２の変位を制限する。一対の突起３２５は、制限部材の一例である。そのような変位の制限が可能であれば、突起３２５の数は一つでもよいし、三つ以上でもよい。
【００４６】
このような構成によれば、第一コネクタ２１と第二コネクタ３２が結合されたセンサ１の使用時において、発光部２２が定位置（透光部３１４に対向する位置）からずれることを防止できる。これにより、センサ１による血中吸光物質濃度の測定精度の低下を抑制できる。したがって、リユーザブル部分２とディスポーザブル部分３を備えたセンサ１の利便性をさらに高めることができる。
【００４７】
図１と図３の（Ａ）に示されるように、支持体３１は、保持部材３１５を備えうる。保持部材３１５は、第二コネクタ３２と結合された第一コネクタ２１に接続されているケーブル２３を保持する。保持部材３１５は、図示の例のように一対の弧状の突起により実現されてもよいし、ケーブル２３が延びる方向から見てＣ字状の断面形状を有する単一のフックより実現されてもよいし、支持体３１の表面と結合可能な面ファスナを備えたベルトにより実現されてもよい。
【００４８】
このような構成によれば、支持体３１とケーブル２３の相対変位を抑制できる。これにより、センサ１の使用時におけるケーブル２３の変位に伴う煩わしさを軽減できる。したがって、リユーザブル部分２とディスポーザブル部分３を備えたセンサ１の利便性をさらに高めることができる。
【００４９】
上記の実施形態は、本発明の理解を容易にするための例示にすぎない。上記の実施形態に係る構成は、本発明の趣旨を逸脱しなければ、適宜に変更・改良されうる。
【００５０】
ディスポーザブル部分３の支持体３１の形状は、用途に応じて適宜に定められうる。例えば図６に示される別例のように、支持体３１は、一端部に第二コネクタ３２が支持されたベルト形状をとりうる。本例の場合、支持体３１を被検者の身体に巻き付けることによって固定がなされる。
【００５１】
本発明の思想が適用される医用センサの用途は、血中吸光物質濃度の検出に限られない。生体パラメータを光学的に検出する医用センサであれば、適宜の形状変更を通じて本発明の思想を適用できる。
【符号の説明】
【００５２】
１：センサ、２：リユーザブル部分、２１：第一コネクタ、２１１：雌ハウジング、２１４：封止部材、２１５：突起、２２：発光部、２３：ケーブル、３：ディスポーザブル部分、３１：支持体、３１４：透光部、３１５：保持部材、３２：第二コネクタ、３２１：雄ハウジング、３２５：一対の突起、Ｄ１：結合方向、Ｄ２：上下方向、Ｄ３：左右方向
【図１】
2020150996.tif 000003
【図２】
2020150996.tif 000004
【図３】
2020150996.tif 000005
【図４】
2020150996.tif 000006
【図５】
2020150996.tif 000007
【図６】
2020150996.tif 000008